(57)【特許請求の範囲】
【請求項１】
車両前方に設けられたエンジン、前記エンジンへ送風する送風部および走行用モータを駆動するバッテリが設けられたハイブリッド車両のバッテリ暖房装置において、
前記送風部によって送風され前記エンジンの周囲を通過した空気を前記バッテリの周囲へ導く廃熱導入路と、
前記バッテリの周囲を通過した空気を前記エンジンの送風方向風上側へ戻す戻り路と、
前記エンジンから車両後方へ延びる排気管と、
を具備し、
前記戻り路は、車両後方から車両前方に亘って前記排気管に沿って隣接される
ことを特徴するハイブリッド車両のバッテリ暖房装置。
【請求項２】
外気温を検出する外気温検出部と、
前記バッテリの温度を検出するバッテリ温度検出部とを更に具備し、
前記送風部は、
前記エンジンへ走行風を導く走行風導入部と、
前記外気温が前記バッテリの温度以下のとき、前記走行風導入部を閉じる開閉シャッタと、
を有することを特徴とする請求項１に記載のハイブリッド車両のバッテリ暖房装置。
【請求項３】
前記廃熱導入路に設けられ、前記エンジンの周囲を通過した空気の流れる方向を切り換える第１ダンパー部と、
前記第１ダンパー部を制御する制御部と、を更に具備し、
前記制御部は、
前記バッテリの温度が所定温度未満のとき、前記エンジンの周囲を通過した空気を前記バッテリの周囲へ導くように前記第１ダンパー部を制御し、
前記バッテリの温度が所定温度以上のとき、前記エンジンの周囲を通過した空気を前記戻り路へ導くように前記第１ダンパー部を制御することを特徴とする請求項２に記載のハイブリッド車両のバッテリ暖房装置。
【請求項４】
前記戻り路の車両後方側に設けられ、前記戻り路と大気との間を開閉する第２ダンパー部を更に具備し、
前記制御部は、
前記バッテリの温度が所定温度未満のとき、前記第２ダンパー部を閉じるよう制御し、
前記バッテリの温度が所定温度以上のとき、前記第２ダンパー部を開放するよう制御する
ことを特徴とする請求項３に記載のハイブリッド車両のバッテリ暖房装置。
【発明の詳細な説明】
【技術分野】
【０００１】
本発明は、バッテリを加温するハイブリッド車両のバッテリ暖房装置に関する。
【背景技術】
【０００２】
エンジン、モータおよびバッテリパック（バッテリ）が搭載されたハイブリッド車両には、走行状態やバッテリパックの電力量に応じて、ＥＶ走行(バッテリの電力による走行)、シリーズ走行（エンジン駆動で発電される電力による走行）、パラレル走行（エンジン走行をモータ駆動でアシストする走行）を可能としたものがある。
ところで、車両に搭載のバッテリパックは、低温時、出力が低下することは知られている。そのため、ハイブリッド車両では、低温時、ヒータ素子で加温された空気をバッテリパックの内部へ供給して、内部のバッテリモジュールを暖めるようにしている。
【０００３】
ところが、ヒータ素子の出力は限られている。このため、外気温が極低温の極低温環境下を走行、特に高速で走行するという、バッテリパックの熱が外部へ逃げる量が多くなる走行環境下では、適切な温度の維持が困難な状況となり、バッテリ温度が目標温度に保てない（バッテリパックが走行風の影響を受けやすいため）。そのため、バッテリパックは目標の出力特性が確保できず（バッテリ出力の低下）、車両の動力性能の低下が懸念される。
【０００４】
そこで、特許文献１のように導入ダクトを用いて、エンジンの周囲の空気をバッテリパックの周囲に流通させ、バッテリパックを通過した空気を戻しダクトから導入ダクトの経路途中へ戻す技術が提案されている。つまり、エンジンの廃熱でバッテリパックを周囲から暖める。
【先行技術文献】
【特許文献】
【０００５】
【特許文献１】特開２０１３−１８０６１４号公報
【発明の概要】
【発明が解決しようとする課題】
【０００６】
ところが、特許文献１は、バッテリパックを通過した後の空気を、バッテリパックへ向かう空気流の途中に合流させるため、バッテリパックの周囲へ導入される空気の温度は低下しやすい。これでは、十分にバッテリパックが暖められず、バッテリ温度が目標温度に到達し難い。
そこで、本発明の目的は、エンジン周囲を通過した空気で、効率良くバッテリが暖められるハイブリッド車両のバッテリ暖房装置を提供する。
【課題を解決するための手段】
【０００７】
本発明の態様は、車両前方に設けられたエンジン、エンジンへ送風する送風部および走行用モータを駆動するバッテリが設けられたハイブリッド車両のバッテリ暖房装置において、送風部によって送風されエンジンの周囲を通過した空気をバッテリの周囲へ導く廃熱導入路と、バッテリの周囲を通過した空気をエンジンの送風方向風上側へ戻す戻り路と、エンジンから車両後方へ延びる排気管とを具備し、戻り路は、車両後方から車両前方に亘って排気管に沿って隣接されるものとした (請求項１)。
【０００８】
好ましくは、外気温を検出する外気温検出部と、バッテリの温度を検出するバッテリ温度検出部とを更に具備し、送風部は、エンジンへ走行風を導く走行風導入部と、外気温がバッテリの温度以下のとき、走行風導入部を閉じる開閉シャッタとを有するものとした（請求項２）。
【０００９】
好ましくは、廃熱導入路に設けられ、エンジンの周囲を通過した空気の流れる方向を切り換える第１ダンパー部と、第１ダンパー部を制御する制御部と、を更に具備し、制御部は、バッテリの温度が所定温度未満のとき、エンジンの周囲を通過した空気をバッテリの周囲へ導くように第１ダンパー部を制御し、バッテリの温度が所定温度以上のとき、エンジンの周囲を通過した空気を戻り路へ導くように第１ダンパー部を制御するものとした（請求項３）。
【００１０】
好ましくは、戻り路の車両後方側に設けられ、戻り路と大気との間を開閉する第２ダンパー部を更に具備し、制御部は、バッテリの温度が所定温度未満のとき、第２ダンパー部を閉じるよう制御し、バッテリの温度が所定温度以上のとき、第２ダンパー部を開放するよう制御するものとした（請求項４）。
【発明の効果】
【００１１】
本発明によれば、エンジンルームの廃熱を含む空気は、バッテリの周囲へ導かれるだけでなく、バッテリと熱交換を終えた後、エンジンの送風方向風上側へ戻り、再びエンジンの廃熱で加温されてから、再びバッテリの周囲へ導かれる。
それ故、バッテリは、バッテリ周囲を通過した空気の再循環により、効率良く加温できる。特に、戻り路を車両前方に設けられたエンジンから車両後方へ延びる排気管に沿わせたことにより、エンジン前方に戻るまでの経路を利用して、戻る空気をエンジン廃熱で車両後方から前方に亘って加熱することができ、エンジンの廃熱を十分に活用したバッテリパックの暖房を行うことができる。
【図面の簡単な説明】
【００１２】
【図１】本発明の一実施形態に係る態様となるバッテリ暖房装置の構成を、通常時（バッテリ暖房の要求なし）における空気の流れと共に示す図。
【図２】バッテリ暖房の要求時、エンジンの廃熱にてバッテリが暖房される制御を示すフローチャート。
【図３】同バッテリ暖房時における空気の流れを示す図。
【発明を実施するための形態】
【００１３】
以下、本発明を図１から図３に示す一実施形態にもとづいて説明する。
図１は、本発明を適用したハイブリッド車両を示している。ハイブリッド車両は、前部にエンジンルーム３を有し、中央部に車室５を有した車体１を備える。エンジンルーム３内には、エンジン７や、図示はしないが同エンジン７で駆動される発電機などが収められている。むろん、エンジン７には、インテークマニホルド(図示しない)やエキゾーストマニホルド（図示しない）やエキゾーストマニホルドから車両後方へ延びる排気管７ａや触媒（図示しない）などが付いている。
【００１４】
エンジン７の前方側には、ラジエータ９が、電動式のラジエータファン９ａと共に設けられている。ラジエータ９と向き合うエンジンルーム３の前端部には、走行風を導入する開口部１１ａを有するグリル１１（本願の開口部に相当）が設けられている。これにより、車両走行で発生する走行風や、ラジエータファン９ａの作動により発生する風が、エンジンルーム３へ導入される。つまり、グリル１１やラジエータファン９ａが送風部となって、車両前方側からエンジン７へ送風が行われる。ちなみにラジエータファン９ａは、種々のエンジン７の条件下で作動するが、ここでは説明を簡単にするため、エンジン７の運転に伴い作動するものとする。
【００１５】
また車体１の下部、例えば車室５のフロア５ａ下には、走行用のバッテリであるところのバッテリパック１３が設けられている。またバッテリパック１３の下部直下には、バッテリパック１３の下面部全体を覆うようアンダカバー１３ａが設けられている。バッテリパック１３は、例えば扁平なバッテリケース１４ａ内に多数のバッテリモジュール１４ｂを収めて構成される。アンダカバー１３ａの周縁部は、フロア５ａの下面に固定される。ちなみに、図示はしないがバッテリケース１４ａの内部には、ヒータ素子で加温した空気をバッテリケース１４ａ内部に循環させる装置が収められている。
【００１６】
車体１の後部のフロア５ａ下には、走行用モータ１５（例えば三相交流同期電動機：以下、単にモータ１５と称す）、バッテリパック１３の直流電圧を交流電圧に変換してモータ１５へ供給するインバータ１７などが設けられている。
またハイブリッド車両には、例えばマイクロコンピュータで構成された制御部１９が搭載されている。制御部１９には、車両の運転状態を代表するエンジン回転数およびスロットル開度、さらにはバッテリ電力量などに基づき、例えばＥＶ走行モード、シリーズ走行モード、パラレル走行モードといった各種走行モードを実行する制御が設定されている。ちなみに、ここでのＥＶ走行モードは、例えば低負荷走行のとき、バッテリパック１３に蓄えられた電力でモータ１５を駆動して走行する走行モードで、シリーズ走行モードは、バッテリパック１３の電力量の低下あるいは高電力が求められるとき、エンジン７で発電機（図示しない）を駆動し、発生する電力でモータ１５を駆動して走行する走行モードで、パラレル走行モードは、例えば高負荷走行のとき、エンジン７の駆動力で走行し、そのエンジン走行をモータ１５の駆動力でアシストする走行モードをいう。
【００１７】
さらにハイブリッド車両には、エンジンルーム３内のエンジン廃熱を利用してバッテリパック１３を周囲から暖めるバッテリ暖房装置２１が搭載されている。図１には、このバッテリ暖房装置２１における通常時(バッテリ暖房を必要としない)の状態が示され、図３には、バッテリパック１３を暖房しているときの状態が示されている。
図１および図３を参照してバッテリ暖房装置２１の主要な構成を説明すると、２３ａは、バッテリパック１３を取り囲むフロア５ａ下面とアンダカバー１３ａの周縁部とを固定している固定部分のうち、例えば車両前部に設けられた廃熱導入口、２３ｂは、同じく例えば車両後部に設けられた廃熱導出口を示す。
【００１８】
廃熱導入口２３ａと同入口２３ａの前方のエンジンルーム３部分の間は、廃熱導入路２５で連通されている。廃熱導入路２５は、例えばエンジンルーム３と車室５とを仕切るダッシュパネル４下を通過する導入ダクト部２５ａで形成される。そして、導入ダクト部２５ａの入口となる一端部が例えばエンジン７の後部（車両後側）に臨み、出口となる他端部が廃熱導入口２３ａと連通している。
【００１９】
この導入ダクト部２５ａにて、車両走行やラジエータファン９ａの作動に伴い、エンジンルーム３内のエンジン７の周囲を通過した空気が、バッテリパック１３の周囲、すなわちバッテリケース１４ａとフロア５ａやアンダカバー１３ａとの間の間隙へ流れるようにしている。これにより、エンジン７の廃熱が、バッテリケース１４ａを介して、内部のバッテリモジュール１４ｂに伝わる。すなわち、エンジン廃熱で、バッテリモジュール１４ｂが加温されるようにしている。
【００２０】
またバッテリパック１３には、バッテリパック１３と熱交換を終えた空気を戻す戻り路２７が設けられている。戻り路２７は、廃熱導出口２３ｂからエンジン７まで連続して延びる導出ダクト部２７ａから形成される。具体的には戻り路２７は、例えばエンジン７の下面部、廃熱導入路２５の下面部、アンダカバー１３ａの下面部を経て廃熱導出口２３ｂへ至る導出ダクト部２７ａで形成される。ここでは、導出ダクト部２７ａは、エンジン７から車両後方へ延びている排気管７ａと隣接、具体的には排気管７ａと沿わせて配置されている。
【００２１】
戻り路２７の後部端とバッテリパック１３の廃熱導出口２３ｂとは、排気ダンパー２９（本願の第２ダンパー部に相当）を介して連通されている。排気ダンパー２９は、廃熱導出口２３ｂおよび戻り路２７の後端部と、大気に開放する大気開放口部２８との間を開閉可能とした回動式のダンパーで構成される。図１中ａは、同ダンパーの動作位置のうちの廃熱導出口２３ｂおよび戻り路２７の後端部と大気開放口部２８とが連通する大気開放位置を示し、図３中ｂは、同じく大気開放口部２８が閉じ、廃熱導出口２３ｂと戻り路２７の後端部間を連通する連通位置を示している。つまり、バッテリパック１３の周囲を通過した空気は、ｂ位置の排気ダンパー２９で、戻り路２７へ導入される。またａ位置の排気ダンパー２９で、戻り路２７の入口側となる後端部は、大気に開放される。
【００２２】
戻り路２７の前端部は、エンジン７の送風方向風上側となるラジエータ９の吸込側まで延びていて、前端に形成される出口をラジエータ９の吸込側に配置させている。これにより、バッテリパック１３を通過した空気は、エンジン７の送風方向風上側へ戻る。つまり、バッテリパック１３と熱交換を終えた空気は、再びエンジン７の廃熱で加熱されるようにしている。
【００２３】
グリル１１は、グリル１１の開口部１１ａを開閉する例えば回動式のグリルシャッタ３１（本願の開閉シャッタに相当）を備えている。グリルシャッタ３１は、外気温センサ４２で検出される外気温がバッテリ温度以下になるとき、開口部１１ａを閉じる。これにより、エンジンルーム３、廃熱導入路２５、バッテリパック１３周囲、戻り路２７が連通している状態下で（図３）、グリル１１の開口部１１ａを閉じられると、閉空間化、すなわちエンジンルーム３、廃熱導入路２５、バッテリパック１３周囲の間隙、戻り路２７が閉空間となる。つまり、閉空間下において、エンジン７を通過した空気が、バッテリパック１３の周りを循環する構造となっている。
【００２４】
さらにバッテリパック１３の暖房（加温）の必要がない通常時に応えられるよう、廃熱導入路２５には、図１および図３に示されるようにエンジン廃熱を外部へ導出させる切換部３３が設けられている。すなわち、切換部３３は、廃熱導入ダンパー３７（本願の第１ダンパー部に相当）を有している。ここでは廃熱導入ダンパー３７は、例えば図３に示される廃熱導入路２５と廃熱導入口２３ａとを連通する廃熱導入位置（図３中のｃ位置）と、図１に示される廃熱導入路２５と戻り路２７のダクト部分に形成された切換口３５とを連通する廃熱導出位置（図１中のｄ位置）とを変位可能とした回動式ダンパーから構成される。
【００２５】
これにより、バッテリパック１３の暖房が必要なときは、図３のように廃熱導入ダンパー３７にて、廃熱導入路２５と廃熱導入口２３ａとを連通し、切換口３５を閉じる。これで、エンジンルーム３内のエンジン廃熱を含む空気は、バッテリパック１３へ導かれる。バッテリパック１３の暖房が必要でないときは、図１のように廃熱導入ダンパー３７にて、廃熱導入路２５と切換口３５とを連通し、廃熱導入口２３ａを閉じる。これで、エンジンルーム３内のエンジン周囲を通過した空気は、バッテリパック１３へ向かわず、戻り路２７へ逆方向から導入される。さらに述べると、大気開放となる排気ダンパー２９（第２ダンパー部）との協働により、エンジン廃熱が、戻り路２７を通じ、大気へ導出されるようにしている。
【００２６】
制御部１９には、バッテリパック１３の暖房の要求、不要求（通常時）に応じて、グリルシャッタ３１、各ダンパー２９，３７を制御する設定がなされている。これには、例えばバッテリ温度(バッテリモジュール温度)を検出するバッテリ温度センサ３９、エンジン７が運転しているか否かを判定するセンサ、例えば廃熱導入路２５へ導入される空気温度を検出する導入空気温度センサ４１、外気温を検出する外気温センサ４２（本願の外気温検出部に相当）を用いて、バッテリパック１３の暖房が要求されるとき、エンジン廃熱をバッテリパック１３へ導入させる設定が用いられる。
【００２７】
具体的には制御部１９は、例えばバッテリ暖房開始を規定するしきい値として暖房許可温度値Ｔｈを設定しておく。バッテリ暖房を必要としないときは、バッテリ温度が所定温度以上のとき（このときは外気温を上回る）、すなわち暖房許可温度値Ｔｈ以上になるとの判定から、通常モード、すなわちグリルシャッタ３１を開、廃熱導入口２３ａを閉（切換口３５：開）、廃熱導出口２３ｂおよび戻り路２７の後端部を大気開放側に切換える。この設定により、エンジンルーム３内の空気は、バッテリパック１３の周囲を通らず、戻り路２７から大気へ放出される。
【００２８】
またバッテリ温度が暖房許可温度値Ｔｈを下回るときは、通常時とは異なり、バッテリ暖房が必要とする。このときバッテリパック１３へ導入される空気温度がバッテリ温度よりも高いと、エンジン７の廃熱が確保されたと判定し、バッテリ暖房モードが実行される。また外気温がバッテリ温度以下なので、グリルシャッタ３１を閉じる設定がなされる。
詳しくはバッテリ暖房モードでは、廃熱導入口２３ａを開（切換口３５：閉）、廃熱導出口２３ｂと戻り路２７の後端部とを連通する側に切換えるモードにする。またグリルシャッタ３１は閉にし、閉空間下で、エンジンルーム３内の空気がバッテリパック１３の周囲を循環するようにしている。ちなみに、暖房許可温度値を、複数段階に設定し、さらに開度が複数段で設定可能なグリルシャッタ３１を用いて、しきい値たる複数段階の暖房許可温度値に応じて、グリルシャッタ３１の開度を可変することも考えられる。また、外気温がバッテリ温度よりも高い場合は、グリルシャッタ３１を開、廃熱導入口２３ａを開（切換口３５：閉）、廃熱導出口２３ｂと戻り路２７の後端部とを連通する側に切換えるモードとして、外気温を取り込むようにしてもよい。
【００２９】
図２のフローチャートには、より具体的なバッテリ暖房の制御が示されている。
図２を参照して同制御を詳細に説明すると、ステップＳ１においては、バッテリ温度センサ３９からバッテリ温度（バッテリモジュール温度）Ｔｂを検出し、続くステップＳ３においては、導入空気温度センサ４１からエンジンルーム３内の空気温度Ｔｉｎを検出する。
【００３０】
このときハイブリッド車両は、通常の外気温下で、シリーズ走行（エンジンで発電機を駆動する発電電力で走行）や、パラレル走行（エンジン走行をモータ駆動でアシストする走行）などで走行しているとする。
このときは、バッテリ温度は上昇しているので（外気温を上回る）、エンジン７の廃熱によるバッテリパック１３の暖房は必要でない。
【００３１】
この点を説明すると、続くステップＳ５においては、バッテリ温度Ｔｂとバッテリ暖房許可温度値Ｔｈとを比較し、バッテリ暖房の有無を判定するが、このときはバッテリ温度Ｔｔｂは、外気温を上回り、バッテリ暖房許可温度値Ｔｈより高くなる挙動を示す。このため、ステップＳ５からステップＳ７へ進み、制御部１９は、図１のように排気ダンパー２９を「開」、グリルシャッタ３１を「開」、廃熱導入ダンパー３７を「閉」にする。
【００３２】
すると、エンジン７の周囲を通過した空気は、切換口３５から、戻り路２７へ、戻り路２７の流通方向とは逆方向から導入される。これにより、同空気は、戻り路２７を通じ、戻り路２７端に有る大気開放口部２８から大気に導出される。つまり、通常時は、エンジン周囲を通過した空気は、バッテリパック１３へ送り込まれない。また廃熱導出口２３ｂは大気に開放され、通常時に適した対応、すなわちバッテリパック１３の温度上昇を抑える対応がとられる。
【００３３】
一方、ハイブリッド車両が、例えば極低温環境で高速走行（シリーズ走行あるいはパラレル走行）するとする。
極低温下で高速走行中のハイブリッド車両は、バッテリ温度Ｔｂの適切な温度での維持が困難な状況にある。このため、通常時とは異なり、バッテリ温度Ｔｂは、外気温やバッテリ暖房許可温度Ｔｈより低くなる。そのため、ステップＳ５からステップＳ９へ進む。
【００３４】
ステップＳ９では、バッテリ温度Ｔｂとバッテリパック１３に導入される空気の温度Ｔｉｎとを比較するが、ここでは高速走行中のハイブリッド車両におけるエンジンルーム３内の空気温度（導入空気温度Ｔｉｎに相当）は、エンジン７で生ずる廃熱によって上昇しているので、バッテリ温度Ｔｂよりも高くなる挙動を示す。これにより、制御部１９は、バッテリパック１３に導入される空気が、バッテリパック１３の暖房を行える熱を有していると判定する。もちろん、バッテリパック１３の暖房を行い得るエンジン廃熱が確保されているとの判定も行われる。
【００３５】
これにより、ステップＳ９からステップＳ１１へと進む。すると、制御部１９は、図３のように排気ダンパー２９を「閉」、グリルシャッタ３１を「閉」、廃熱導入ダンパー３７を「開」にする。
この制御に伴い、図３に示されるようにエンジンルーム３、廃熱導入路２５、バッテリパック１３周囲の間隙、戻り路２７は、外部と断たれた閉空間になる。この閉空間下において、ラジエータファン９ａの作動により、図３中の矢印に示されるようにエンジン周囲を通過した空気は、廃熱導入路２５を通じて、廃熱導入口２３ａからバッテリパック１３の周囲へ導かれる。この空気が、バッテリケース１４ａとフロア５ａやアンダカバー１３ａとの間隙を通過する間に熱交換が行われ、エンジン廃熱でバッテリケース１４ａ内のバッテリモジュール１４ｂを暖める。
【００３６】
バッテリパック１３を通過した空気（熱交換により温度低下）は、廃熱導出口２３ｂから戻り路２７を通り、エンジン７の前方、すなわちエンジン７の送風方向風上に配置されているラジエータ９の吸込側に戻る。ちなみに戻り路２７を通過する際、同空気は、隣接配置されている排気管７ａを流れる排ガスの熱を受けて加熱（加温）される。
エンジンルーム３に戻った空気は、エンジン７の周囲を通過する際に、再び加熱される。そして、再びバッテリパック１３へ導かれて、バッテリパック１３の周囲を循環するという、サイクルが繰り返される。
【００３７】
このようにバッテリ暖房が必要とされるとき、バッテリ周囲を通過した空気の再循環加熱により、バッテリパック１３は、エンジン周囲を通過した空気を有効に用いて効率良く加温できる。これにより、たとえ極低温環境下を高速走行する場合でも、バッテリ温度を目標温度に保つことができる。
それ故、ハイブリッド車両の極低温環境下におけるバッテリ出力の低下を抑えることができ、車両の走行性能の低下を抑えることができる。特に、バッテリ暖房が要求されるとき（外気温がバッテリ温度以下のとき）、グリルシャッタ３１を用いて、エンジンルーム３、廃熱導入路２５、バッテリパック１３周囲の間隙、戻り路２７を閉空間としたことにより、エンジン７の廃熱を最も有効にバッテリパック１３に伝えることができる。
【００３８】
また戻り路２７を車両前方に設けられたエンジン７から車両後方へ延びる排気管７ａに沿わせたことにより（隣接配置）、エンジン前方に戻るまでの経路を利用して、戻る空気をエンジン７の廃熱で車両後方から前方に亘って加熱することができ、エンジン７の廃熱を十分に活用したバッテリパック１３の暖房が行える。
そのうえ、バッテリパック１３の暖房の要求がないとき、エンジンルーム３内のエンジン廃熱を外部（大気）へ導出させるようにしたことにより、バッテリパック暖房の必要がない通常時は、バッテリパック１３の温度上昇が抑えられる。そのため、バッテリ暖房は、通常時と両立できる。特にエンジンルーム３と戻り路２７の出口側を連通する廃熱導入ダンパー３７と、戻り路２７の車両後方側を大気に開放する排気ダンパー２９とを用いて、戻り路２７を逆方向から流通させるという手法でエンジンの廃熱を外部へ導出させたので、エンジン７からの廃熱をバッテリパック１３に当てることなく車外へ排出することができる。
【００３９】
なお、上述した一実施形態における各構成およびそれの組合わせ等は一例であり、本発明の趣旨から逸脱しない範囲内で、構成の付加、省略、置換、およびその他の変更が可能であることはいうまでもない。また本発明は、実施形態によって限定されることはなく、「特許請求の範囲」によってのみ限定されることはいうまでもない。
例えば一実施形態では、バッテリ暖房（加温）が要求されるときとして、極低温時の高速走行を一例に挙げたが、これに限らず、他のバッテリ暖房と必要するときでも構わない。また一実施形態では、ヒータ素子を用いてバッテリパック内部を暖める装置を有するハイブリッド車両を挙げたが、同装置の無いハイブリッド車両に本発明を適用してもよい。
【符号の説明】
【００４０】
１  車体
７  エンジン
７ａ  排気管
９ａ，１１  ラジエータファン，グリル（送風部）
１１ａ  開口部
１３  バッテリパック（バッテリ）
１５  モータ（走行用モータ）
１９  制御部
２５  廃熱導入路
２７  戻り路
２９  排気ダンパー（第２ダンパー部）
３１  グリルシャッタ（開閉シャッタ部）
３７  廃熱導入ダンパー（第１ダンパー部）
４１  導入空気温度センサ（バッテリ温度検出部）
４２  外気温センサ（外気温検出部）
【図１】
0006344556.tif 000002
【図２】
0006344556.tif 000003
【図３】
0006344556.tif 000004